(57)【要約】【課題】  不正開封状態が一目でわかり、廃棄時に容器からキャップ本体を手指だけで取り外せ、更に液だれした内容物がキャップ内に溜まることのない分別機能を備えたプラスチックキャップを提供する。【解決手段】  天板下に打栓部分を有し、且つ前記天板上に注出筒を有するキャップ本体と、該キャップ本体の注出筒に螺着脱する上蓋とからなり、前記キャップ本体は前記打栓部分を切り欠くための脆弱部及び該脆弱部で囲った前記打栓部分に設けた柔軟性の切欠用ツマミを有し、前記キャップ本体に前記上蓋を螺着する際に前記キャップ本体と前記上蓋との間に前記切欠用ツマミを折り曲げ収納出来るようにした分別機能を備えたプラスチックキャップ。【選択図】  図１
2005067699.tif 000002
【特許請求の範囲】
【請求項１】
天板下に容器の口部に打栓するための打栓部分を有し、且つ前記天板上に注出筒を有す
るキャップ本体と、該キャップ本体の注出筒に螺着脱する上蓋とからなり、前記キャップ
本体は前記打栓部分を切り欠くための脆弱部及び該脆弱部で囲った前記打栓部分に設けた
柔軟性の切欠用ツマミを有し、前記上蓋は前記キャップ本体の注出筒に螺着脱するネジ周
壁及び該ネジ周壁に連なり前記切欠用ツマミの少なくとも一部を覆う外周壁を有して、前
記キャップ本体に前記上蓋を螺着する際に前記キャップ本体と前記上蓋との間に前記切欠
用ツマミを折り曲げ収納してなり、前記キャップ本体の打栓部分を前記脆弱部及び前記切
欠用ツマミにて切り欠き、前記容器の口部から前記キャップ本体を離脱可能としたことを
特徴とする分別機能を備えたプラスチックキャップ。
【請求項２】
前記切欠用ツマミ及び前記上蓋の外周壁の少なくともいずれか一方が前記切欠用ツマミ
を折り曲げ収納可能とする傾斜を有する請求項１記載の分別機能を備えたプラスチックキ
ャップ。
【請求項３】
前記キャップ本体の注出筒は空洞部を有する請求項１または２記載の分別機能を備えた
プラスチックキャップ。
【請求項４】
前記切欠用ツマミはゲート型形状である請求項１ないし３のいずれか１項記載の分別機
能を備えたプラスチックキャップ。
【請求項５】
前記上蓋にタンパーエビデント機構を介在させてバンドを接続し、前記タンパーエビデ
ント機構は、前記上蓋とその下方の前記バンドとを易破断性のつなぎリブにて接続すると
共に、前記上蓋及び前記バンドにストッパーを設けてこれらを螺着方向に同調回転させ、
且つ前記キャップ本体の外周面にキャップ本体側ラチェットを設け、前記バンドの内周面
にバンド側ラチェットを設けて、前記キャップ本体を前記口部に打栓した際の拡径により
、キャップ本体側ラチェットがバンド側ラチェットにラップするように設定し、更に前記
つなぎリブ破断後の前記バンドの落下スペースを前記キャップ本体周辺に確保した請求項
１ないし４のいずれか１項記載の分別機能を備えたプラスチックキャップ。
【発明の詳細な説明】
【技術分野】
【０００１】
本発明は、食用油、飲料や調味料などを収容する容器の口部に打栓して使用するプラス
チックキャップに関し、より詳しくは、キャップ本体と、これに螺脱着する上蓋とからな
り、キャップ本体は切欠用ツマミによって容器口部から離脱可能とすることにより、分別
廃棄を可能にするとともに、切欠用ツマの先端が上蓋螺着時に上蓋内に折り曲げ収納され
、かつ、不正開封を容易に視認できるようにしたタンパーエビデント機能を付与した分別
機能を備えたプラスチックキャップに関する。
【背景技術】
【０００２】
プラスチックキャップは、食用油、飲料や調味料などを収容する容器に多く使用され、
その多くは、主に製作上及び素材コストの面から、容器と異なった材質のものが使用され
ている。そして、このプラスチックキャップは、容器の口部に打栓して液密とし、更に容
易に外れないようにして液密状態を維持し、更に、タンパーエビデント機構を備えること
によって、上蓋を開封するとその事実が残り、各種のいたずらを防止できるようにしたも
のが大半である。このプラスチックキャップは、液密状態維持のため容器の口部から容易
に外れないようにしているために、近年になって消費者の分別廃棄の意識の高まりに応え
るべく種々の施策がなされている。このような分別性を容易にしたプラスチックキャップ
の一般的な形状として、下記のものが知られている。
【０００３】
【特許文献１】実用新案登録第２５８９０３４号公報
【特許文献２】特開平１１−１５２１５６号公報
【特許文献３】特開２００１−９７４３１号公報
【０００４】
特許文献１記載のプラスチックキャップは、図１２に示すように、容器の口部ａの先端
小径部ｂに打栓すると共に注出筒ｃを有するキャップ本体ｄと、このキャップ本体ｄの外
筒下端外周縁に脆弱部ｅにて連結し且つ破断するための弱化ライン及びツマミｆを有する
下筒ｇと、容器の口部ａの先端小径部ｂ下の大径ネジ部ｈに螺着脱する上蓋ｉと、からな
り、分別廃棄の際、ツマミｆにて弱化ラインを破断して更に脆弱部ｅも破断して、キャッ
プ本体ｄの外筒下端外周縁から下筒ｇを切り離し、キャップ本体ｄの外筒下と注出筒ｃ下
との間に栓抜きを掛ければ、容器の口部ａからキャップ本体ｄを容易に取り外すことが出
来るものである。
【０００５】
特許文献２記載のプラスチックキャップは、図１３、１４、１５に示すように、容器の
口部ａに打栓するキャップ本体ｄ１と、このキャップ本体ｄ１に螺着脱する上蓋ｉ１と、
からなり、キャップ本体ｄ１の筒状側壁は天板ｊに連なる第１の筒状側壁ｋと、水平フラ
ンジ壁ｌを介して第１の筒状側壁ｋに連なって下方に延びている第２の筒状側壁ｍとから
なり、双方の筒状側壁ｋ、ｍ間の水平フランジ壁ｌに開口ｎを形成し、この開口ｎには水
平フランジ壁ｌに揺動可能にヒンジ連結した引き裂き用のツマミｆが設けられ、このツマ
ミｆから２本の脆弱部ｅが延びており、上蓋ｉ１が開いているときは水平フランジ壁ｌの
上面より上方に立ち上がり、上蓋ｉ１が閉じているときは上蓋ｉ１の下端に当たり開口ｎ
内に押し込まれる。分別廃棄の際、ツマミｆにて２本の脆弱部ｅを破断すれば、容器の口
部ａからキャップ本体ｄ１を容易に取り外すことが出来るものである。
【０００６】
特許文献３記載のプラスチックキャップは、図１６、１７に示すように、筒部ｏと、注
出筒ｃと、遮断壁ｐと、スコアｑと、プルリングｒと、を備えたキャップ本体ｄ２、及び
このキャップ本体ｄ２に螺着脱される上蓋ｉ２とからなり、引き裂き用のツマミｆが注出
筒ｃの外側に同心状に位置する筒部ｏの分離基端部より上方に立設され、筒部ｏには分離
基端部の内側位置に周方向スリット部ｓと、該周方向スリット部ｓの一端に連続する縦方
向弱化線と、該周方向スリット部ｓの他端に連続する周方向弱化線とが形成され、キャッ
プ本体ｄ２のツマミしろに相当する筒部外周裾部以外は上蓋ｉ２によって完全にカバーさ
れてなり、分別廃棄の際、上蓋ｉ２の凸部ｔを周方向スリット部ｓあるいは引き裂き用の
ツマミｆに係合させ手前に引けば、まず縦方向弱化線が切れ、そのあと手指でツマミｆを
周方向に引けば、周方向弱化線も切れて、容器の口部ａからキャップ本体ｄ２を容易に取
り外すことが出来るものである。
【発明の開示】
【発明が解決しようとする課題】
【０００７】
特許文献１のプラスチックキャップは、ツマミｆによりキャップ本体ｄから下筒ｇを切
り離したあと、キャップ本体ｄの外筒下と注出筒ｃ下との間に栓抜きを掛けなければ容器
の口部ａからキャップ本体ｄを取り外すことが出来ないから、栓抜きが無ければ分離出来
ず厄介であり、口部ａが先端小径部ｂ及びその下の大径ネジ部ｈにて形成されている特殊
形状の容器でなければならない。しかも、容器の口部ａの大径ネジ部ｈから上蓋ｉを取り
外すことが容易であるから、不正開封者による注出筒ｃなどの汚染や最悪時内容物の改ざ
んも可能にする虞がある。
【０００８】
また、特許文献２のプラスチックキャップは、ツマミｆにより脆弱部ｅを破断すれば第
２の筒状側壁ｍが取り外せるだけで、容器の口部ａには第１の筒状側壁ｋが打栓状態であ
りそれを外すにはそれ相応の力が必要となり、注出筒ｃと環状突起ｕとの間にスペースが
あり、そこに注出筒ｃから垂れた内容物が溜まり易く、その内容物が変質して種々の不都
合を生じさせる。しかも、キャップ本体ｄ１から上蓋ｉ１を取り外すことが容易であるこ
とから、不正開封者による注出筒ｃなどの汚染や最悪時内容物の改ざんも可能にする虞が
ある。
【０００９】
さらに特許文献３のプラスチックキャップは、上蓋ｉ２の凸部ｔを周方向スリット部ｓ
または引き裂き用のツマミｆに係合させ、あるいは引き裂き用のツマミｆを直接手指にて
手前に引いて、まず縦方向弱化線を切り、そのあと手指でツマミｆを周方向に引けば、周
方向弱化線も切れるのであるが、キャップ本体ｄ２の筒部ｏにかなりの剛性があり同時に
周方向弱化線も切らなければならないから、手指でかなりの力でツマミｆを周方向に引け
なければ、筒部ｏを切ることが難しく実際には口部ａからキャップ本体ｄ２を取り外すこ
とが困難であり、切ったあとのバリにて手指を切る虞もある。その一方で、キャップ本体
ｄ２から上蓋ｉ２を取り外すことが容易であるから、不正開封者による注出筒ｃなどの汚
染や最悪時内容物の改ざんも可能にする虞がある。
【００１０】
そこで、本発明の目的は、内容物が直接触れる注出筒などの汚染や内容物の改ざんを防
止でき、注出筒から垂れた内容物がキャップ内に溜まらず、かつ、廃棄時に容器の口部か
ら容易に離別できて分別廃棄性を高めることが出来るとともに、分別時に打栓部分を切り
欠くための切欠用ツマミの少なくとも一部が上蓋の螺合時に、キャップ本体と前記上蓋と
の間に前記切欠用ツマミを折り曲げ収納できるようにした分別機能を備えたプラスチック
キャップを提供することにある。
【課題を解決するための手段】
【００１１】
本発明は、上記目的を達成するために提案されたものであって、下記の構成からなるこ
とを特徴とするものである。
すなわち、本発明によれば、天板下に容器の口部に打栓するための打栓部分を有し、且
つ前記天板上に注出筒を有するキャップ本体と、該キャップ本体の注出筒に螺着脱する上
蓋とからなり、前記キャップ本体は前記打栓部分を切り欠くための脆弱部及び該脆弱部で
囲った前記打栓部分に設けた柔軟性の切欠用ツマミを有し、前記上蓋は前記キャップ本体
の注出筒に螺着脱するネジ周壁及び該ネジ周壁に連なり前記切欠用ツマミの少なくとも一
部を覆う外周壁を有して、前記キャップ本体に前記上蓋を螺着する際前記キャップ本体と
前記上蓋との間に前記切欠用ツマミを折り曲げ収納してなり、前記キャップ本体の打栓部
分を前記脆弱部及び前記切欠用ツマミにて切り欠き、前記容器の口部から前記キャップ本
体を離脱可能としたことを特徴とする分別機能を備えたプラスチックキャップが提供され
る。
【００１２】
また、本発明によれば、前記切欠用ツマミ及び前記上蓋の外周壁の少なくともいずれか
一方が前記切欠用ツマミを折り曲げ収納可能とする傾斜を有する上記分別機能を備えたプ
ラスチックキャップが提供される。
【００１３】
また、本発明によれば、前記キャップ本体の注出筒は空洞部を有する上記分別機能を備
えたプラスチックキャップが提供される。
【００１４】
また、本発明によれば、前記切欠用ツマミはゲート型形状である上記分別機能を備えた
プラスチックキャップが提供される。
【００１５】
また、本発明によれば、前記上蓋にタンパーエビデント機構を介在させてバンドを接続
し、前記タンパーエビデント機構は、前記上蓋とその下方の前記バンドとを易破断性のつ
なぎリブにて接続すると共に、前記上蓋及び前記バンドにストッパーを設けてこれらを螺
着方向に同調回転させ、且つ前記キャップ本体の外周面にキャップ本体側ラチェットを設
け、前記バンドの内周面にバンド側ラチェットを設けて、前記キャップ本体を前記口部に
打栓した際の拡径により、キャップ本体側ラチェットがバンド側ラチェットにラップする
ように設定し、更に前記つなぎリブ破断後の前記バンドの落下スペースを前記キャップ本
体周辺に確保した上記分別機能を備えたプラスチックキャップが提供される。
【発明の効果】
【００１６】
本発明によれば、キャップ本体の注出筒に上蓋が螺着脱することにより、キャップ本体
と上蓋との間に内容物が溜まるスペースがなくなり、キャップ本体と上蓋との間に切欠用
ツマミの少なくとも一部を折り曲げ収納することにより、ネジ周壁と外周壁とを一体にす
ることが出来、キャップ本体から上蓋を螺脱して、折り曲げ収納した切欠用ツマミにて脆
弱部を破断してキャップ本体の打栓部分を切り欠いたあと、容器の口部からキャップ本体
を離脱出来る。したがって、注出筒から垂れた内容物がキャップ内に溜まらず、それに起
因する黴などの発生がなく、かつ、ネジ周壁と外周壁とを一体に出来るため、成形用の金
型を簡素化することが出来るとともに成形樹脂材料も少なくすることができ、廃棄時に容
器の口部からキャップ本体を容易に離別できて、分別廃棄性を高めることが出来る効果が
ある。
【００１７】
また、キャップ本体の注出筒に空洞部を設けたることにより、その分の成形材料を減ら
せるし、製品の軽量化にも寄与することができる。
さらに、切欠用ツマミをゲート型形状にすることにより手指で掴みやすくなり、容器の
廃棄時に極めて容易に脆弱部を破断してキャップ本体の打栓部分を切り欠くことが出来る
効果がある。
【００１８】
また、容器の口部にキャップ本体を打栓した際のキャップ本体の拡径を利用して、キャ
ップ本体側ラチェットをバンド側ラチェットにラップさせ、打栓前のキャップ本体に上蓋
をスムーズに螺着出来、打栓後のキャップ本体から上蓋を螺脱するとタンパーエビデント
機構が働き、つなぎリブを破断しバンドが落下スペースに落ちるため、仮に、タンパーエ
ビデント機構の加工精度が低くても、不正開封が一目で分かる効果がある。
【発明を実施するための最良の形態】
【００１９】
以下に、図面を参照して本発明を実施するための最良の形態を説明する。
【実施例】
【００２０】
図１は本発明の実施例１を示す分別機能を備えたプラスチックキャップ（以下、分別性
プラスチックキャップということがある）の断面図、図２はそのキャップ本体の正面図、
図３はそのキャップ本体の側面図、図４はそのキャップの上蓋の側面図である。なお、図
４のVII- VII線に沿う断面図を図７に示した。
図面において、分別性プラスチックキャップ１は、天板２下に容器３の口部４に打栓す
るための打栓部分５を有し且つ天板２上に注出筒６を有するキャップ本体７と、該キャッ
プ本体７の注出筒６に螺着脱する上蓋８と、この上蓋８にタンパーエビデント機構９を介
在させて連結したバンド１０とからなり、キャップ本体７は打栓部分５を切り欠くための
脆弱部１１及びこの脆弱部１１で囲った打栓部分５に設けた柔軟性の切欠用ツマミ１２を
有し、上蓋８はキャップ本体７の注出筒６に螺着脱するネジ周壁１３及びこのネジ周壁１
３に連なり切欠用ツマミ１２の少なくとも一部を覆う外周壁１４を有して、キャップ本体
７に上蓋８を螺着する際キャップ本体７と上蓋８との間に切欠用ツマミ１２を折り曲げ収
納してなり、キャップ本体７の打栓部分５を脆弱部１１及び切欠用ツマミ１２にて切り欠
き、容器３の口部４からキャップ本体７を離脱可能としたものである。
【００２１】
前記容器３は、その口部４に上記の分別性プラスチックキャップ１を打栓できるもので
あれば特に限定がなく、どのようなタイプ、材質でも良い。この実施例では、食用油、調
味料などで頻繁に利用して、上蓋８による開閉栓が比較的多く行われるようなボトルタイ
プのプラスチック製の容器を想定している。
【００２２】
前記分別性プラスチックキャップ１は、容器本体とは異なる材質のプラスチック製のも
のであり、キャップ本体７と、これに螺脱着する上蓋８と、これらとの間にタンパーエビ
デント機構９を介在させてなるバンド１０とからなる。キャップ本体７は、その天板２下
にインナーリング２０及びスカート部２１が設けられて前記打栓部分５が形成され、この
打栓部分５の開口２２に容器３の口部４をあてがい打栓することで液密とする。そして、
キャップ本体７の天板２上に前記注出筒６が立設し、この注出筒６の外側面に刻まれたネ
ジにより上蓋８を螺着脱するようになっている。更に、この注出筒６内には空洞部２３が
有り、この空洞部２３の要所に補強リブ２４が設けられて注出筒６が補強されている。し
たがって、キャップ本体７の注出筒６に上蓋８を螺着脱させ注出筒６から垂れた内容物が
溜まらないようにするために、注出筒６を大きくしてもこの空洞部２３により成形材料を
減らすことができ、且つ軽量化を図ることが出来る。
【００２３】
この注出筒６の底に位置する天板２には注出孔スコアー２５を設け、この注出孔スコア
ー２５にて囲っている天板２にプルリング２６を取り付けてある。したがって、このプル
リング２６に手指を掛け引っ張れば、注出孔スコアー２５を破断でき開封することができ
、容器３の内容物を注出筒６から注ぎ出すことができる。その際、注出筒６から注ぎ出さ
れた内容物が注出筒６の外側面に垂れることがあっても、天板２及びスカート部２１上を
流れるだけで溜まることがなく、内容物の残留に起因する黴などの発生の様な不衛生な事
態が回避される。
【００２４】
このキャップ本体７には分別廃棄機能が備わり、この分別廃棄機能は、図１、２に示す
ように、打栓部分５を構成している天板２及び前記スカート部２１にかけてこれらの一部
を切り欠くための脆弱部１１及びこの脆弱部１１で囲われ切り欠かれる天板２上に設けた
柔軟性のゲート型形状の切欠用ツマミ１２により実現できる。この例では、切欠用ツマミ
１２は、図２に示したように、ゲート型すなわち門型形状に形成されている。この切欠用
ツマミ１２を用いて脆弱部１１を破断し天板２及びスカート部２１の一部を切り欠いて、
容器３の口部４からキャップ本体７を取り外す。あるいは、切り欠いたあとのキャップ本
体７の注出筒６に上蓋８を螺着して、切欠部分を上にして上蓋８をこねると上蓋８と共に
キャップ本体７を容器３の口部４から容易に取り外せて、容器３と上蓋８及びキャップ本
体７とを分別でき、再資源化を図ったりあるいはそのまま廃棄することが出来る。
なお、この柔軟性の切欠用ツマミ１２は、ゲート型形状であり手指で掴みやすくしてい
るが、この形状に限定されるものではなく、例えば、板状でも良い。
【００２５】
また、この実施例では、切欠用ツマミ１２のつけ根部分に近接する脆弱部１１は、縦方
向に２本形成されているが、図８に示すように切欠用ツマミ１２のいずれかの脚部近傍を
起点として縦方向に１本と、周方向に１本の脆弱部１１を形成し、キャップ本体を上記脆
弱部に沿って縦方向と周方向に鉤状に切り欠くことによっても分別機能を実現することが
できる。
【００２６】
この切欠用ツマミ１２は柔軟性があり、既述の通り上蓋８とキャップ本体７との間に二
つ折りに折り曲げ収納される。すなわち、この上蓋８は、天板３０とその周縁に続く前記
ネジ周壁１３及びこれと一体の外周壁１４で形成され、この外周壁１４はネジ周壁１３に
連なる傾斜壁１４ａ及び垂直壁１４ｂで形成されて、これら両壁１４ａ、垂直壁１４ｂと
キャップ本体７の天板２及びスカート部２１の凹み２１ａとでツマミ収納部２７が形成さ
れている。したがって、キャップ本体７に上蓋８が螺着される際、図５に示したように、
柔軟性のある切欠用ツマミ１２が上蓋８の傾斜壁１４ａに当接し傾斜壁１４ａ及び垂直壁
１４ｂにガイドされて、ツマミ収納部２７に折り曲げ収納される。
【００２７】
この柔軟性の切欠用ツマミ１２を常に図９で示すような収納状態にするには、切欠用ツ
マミ１２の先端が上蓋８の垂直壁１４ｂよりも外側に位置するようにするのが良く、それ
には切欠用ツマミ１２を外側に傾斜させるか、先端を外側に曲げて垂直壁１４ｂよりも外
側に位置させる。または、切欠用ツマミ１２の先端が上蓋８の傾斜壁１４ａに当たる際の
角度αを鈍角にする。角度αを鈍角にする手法は、切欠用ツマミ１２を外側に傾斜させる
か、先端を外側に曲げるか、あるいは上蓋８の傾斜壁１４ａを出来るだけ水平近くにする
のがよい。なお、切欠用ツマミ１２は適度の柔軟性を保持しているために、上蓋８とキャ
ップ本体７との間に長時間折り曲げ収納されていても、形状が変形することはなく、キャ
ップ本体７から上蓋８が螺脱されれば、元の形状に復元することができる。もっとも、手
指で引き起こしつまむことが出来るのであれば、切欠き用ツマミが折れ曲がったり、形状
が変形したままになっていても構わない。
【００２８】
また、この上蓋８は、その天板３０内面にインナーリング３１が同心的に設けられ、ネ
ジ周壁１３は前記キャップ本体７の注出筒６に螺着脱し、インナーリング３１は注出筒６
に液密に内嵌して内容物の漏れを防ぎ、ネジ周壁１３の外周にすべり止め３２が設けられ
、キャップ本体７と螺着脱し易くしている。この上蓋８は、その下方の前記バンド１０に
前記タンパーエビデント機構９を介在させて接続して一体状態となっている。このバンド
１０は、リング状をなしキャップ本体７のスカート部２１を覆う位置にある。なお、この
上蓋８は、ネジ周壁１３と外周壁１４とを一体に形成しているから、成形用の金型を簡素
化することが出来、成形用の樹脂材料も少なくて済むというメリットがある。
【００２９】
これら上蓋８及びその下方のバンド１０にはタンパーエビデント機構９が介在するが、
このタンパーエビデント機構９は以下の構成になっている。
すなわち、タンパーエビデント機構９は、上蓋８とその下方のバンド１０とを易破断性
のつなぎリブ３３にて接続すると共に、上蓋８及びバンド１０にストッパー３４を設けて
これらを螺着方向に同調回転させ、且つキャップ本体７の外周面にキャップ本体側ラチェ
ット３５を設け、バンド１０の内周面にバンド側ラチェット３６を設けて、キャップ本体
７を容器３の口部４に打栓した際のキャップ本体７の拡径により、キャップ本体側ラチェ
ット３５がバンド側ラチェット３６にラップするように設定し、更につなぎリブ３３破断
後のバンド１０の落下スペース３７をキャップ本体７周辺に確保したものである。したが
って、まず、このバンド１０と一体構成の上蓋８をキャップ本体７に螺着する必要があり
、その際つなぎリブ３３を破断しないように、上蓋８の下端面及びバンド１０の上端面に
前記ストッパー３４を設けて、キャップ本体７に上記の上蓋８を螺着する際、すなわち、
上蓋８を時計方向に回すとストッパー３４同士が当たり、つなぎリブ３３に負荷をかけず
破断することなく螺着できる。
【００３０】
しかしながら、キャップ本体７から上蓋８を螺脱する際、バンド１０はキャップ本体７
側に残り上蓋８だけを螺脱する必要があるから、バンド１０の内周面にバンド側ラチェッ
ト３６を設け、キャップ本体７の外周面にキャップ本体側ラチェット３５を設けている。
両ラチェット３５及び３６の位置関係は、図９に示すように、打栓前のキャップ本体７に
バンド１０と一体構成の上蓋８を螺着した状態ではラップせず（螺着に支障がなければわ
ずかにラップしても良い）、図１０に示すように、キャップ本体７を容器３の口部４に打
栓した際のキャップ本体７の拡径により、キャップ本体側ラチェット３５も外側に膨らみ
、バンド側ラチェット３６にＨ寸法だけラップするように設定している。
【００３１】
すなわち、バンド１０と一体構成の上蓋８は先にキャップ本体７に螺着した後、その状
態で容器３の口部４に打栓するから、その際のキャップ本体７の拡径によるキャップ本体
側ラチェット３５の外側への膨らみを利用することが可能となる。したがって、キャップ
本体７から上蓋８を反時計方向に回して螺脱すると、キャップ本体側ラチェット３５とバ
ンド側ラチェット３６とがＨ寸法だけラップしているから、図１１で明らかなとおり、バ
ンド側ラチェット３６はキャップ本体側ラチェット３５を乗り越えることは出来ず、バン
ド１０は動かなくなりつなぎリブ３３が破断することになる。そして、破断後のバンド１
０は、キャップ本体側ラチェット３５とバンド１０上部の庇部分とが当たるまで落下スペ
ース３７へ落下するため、これによって、不正開封の事実が一目で明確に判明する。
【００３２】
なお、バンド１０上面に数カ所のラック３８を上蓋８とわずかな間隔をあけて設け、バ
ンド１０と上蓋８との一体構成品状態とし、更にこれらをキャップ本体７に螺着した状態
、ならびに容器３の口部４に打栓状態でのつなぎリブ３３の破断を防止し、特に垂直方向
の外力に対してラック３８にて支持して、つなぎリブ３３に外力が加わらないようにして
いる。なお、図１、１０中の３９はキャップ本体７に設けた回り止めであり、キャップ本
体７にバンド１０と一体構成の上蓋８を螺着する際、バンド１０及び上蓋８によりキャッ
プ本体７を覆いつくすことになり固定しづらいため、この回り止め３９に冶具をあてるな
どして、キャップ本体７の連れ回りを防いで、スムーズにキャップ本体７に一体構成の上
蓋８を螺着出来るようにしている。
【００３３】
次に、上記構成になる分別性プラスチックキャップ１の利用方法について説明する。
まず、予めキャップ本体７にバンド１０と一体の上蓋８を螺着しておく。すなわち、キ
ャップ本体７の回り止め３９に冶具をあてるなどし、注出筒６にバンド１０と一体の上蓋
８をあてがい、上蓋８を時計方向に回すと上蓋８及びバンド１０のストッパー３４同士が
直ぐに当接し、回り止め３９によりキャップ本体７が連れ回りせず、つなぎリブ３３に負
荷をかけずにキャップ本体７に螺着できる。なお、柔軟性の切欠用ツマミ１２はキャップ
本体７と上蓋８との間のツマミ収納部２７内に折り曲げ収納されている。そして、容器３
内に内容物を充填し、分別性プラスチックキャップ１のキャップ本体７のインナーリング
２０及びスカート部２１の開口２２に容器３の口部４をあてがい打栓することで、容器３
内を液密として最終製品とする。
【００３４】
最終製品の消費に際しては、上蓋８のすべり止め３２を利用して手指にてキャップ本体
７から上蓋８を螺脱、すなわち反時計方向に回すと、キャップ本体側ラチェット３５とバ
ンド側ラチェット３６とがＨ寸法だけラップしているからバンド１０は動かず、なおも上
蓋８を反時計方向に回すと、つなぎリブ３３を破断して上蓋８を螺脱出来、内容物を容器
３内から取り出すことが出来る。この際、液切れが悪く注出筒６から内容物が外側面に垂
れることがあっても、天板２及びスカート部２１上を流れるだけでその場に溜まることが
なく、内容物の残留に起因する黴の発生などの不都合な問題が回避出来る。また、容器３
内に消費し切れずに内容物が残留していても、再び口部４に上蓋８を螺着することによっ
て衛生的に保存することができる。一方、破断後のバンド１０は落下スペース３７に落下
しているから、もし上記した螺脱が不正開封であれば、正当開封者はバンド１０が落下ス
ペース３７に落下していることを目視することにより、不正開封の事実を直ぐにしかも明
確に認識でき、危険を容易に回避できる。
【００３５】
そして、容器３内の内容物を使い切ったら、容器３と異材質の分別性プラスチックキャ
ップ１とを分別廃棄すべく、口部４から上蓋８を外したままで、まず、バンド１０を上方
に抜き取り、柔軟性の切欠用ツマミ１２をつかみ脆弱部１１を破断して、キャップ本体７
の打栓部分５、すなわち、天板２及びスカート部２１の一部を切り欠き、そのまま容器３
の口部４からキャップ本体７を手指にて取り外すことができる。そのほかにも、キャップ
本体７の注出筒５に上蓋８を螺着し切り欠いた部分を上にしてこねると、容器３の口部４
からキャップ本体７を上蓋８と共に完全に分離できて、手指を痛めることもない。したが
って、特に、用具を使うことなく手指のみで、容器３の口部４から上蓋８とともにキャッ
プ本体７並びにこれに遊嵌しているバンド１０を外すことが出来て、分別廃棄の実を上げ
ることが出来る。
【００３６】
以上、本発明の実施例を説明したが、具体的な構成はこれに限定されず、本発明の要旨
を逸脱しない範囲での変更は適宜可能であることは理解されるべきである。
【産業上の利用可能性】
【００３７】
本発明の分別性プラスチックキャップは、容器との分別廃棄性を要求され、内容物が直
接触れる部分の汚染や内容物の改ざん防止の機能を求められる場合に利用可能性が高く、
特に、内容物が変質し易いものの場合に有用である。
【図面の簡単な説明】
【００３８】
【図１】本発明の実施例を示す分別性プラスチックキャップの断面図である。
【図２】同上分別性プラスチックキャップのキャップ本体の正面図である。
【図３】同上分別性プラスチックキャップのキャップ本体の側面図である。
【図４】同上分別性プラスチックキャップの上蓋の側面図である。
【図５】上蓋と切欠用ツマミの当接状態を説明するための状態図である。
【図６】同上分別性プラスチックキャップのキャップ本体の平面図である。
【図７】図３のVII −VII 線に沿う断面図である。
【図８】図２と異なる脆弱部を形成したキャップ本体の正面図である。
【図９】同上分別性プラスチックキャップの打栓前の半裁断面図である。
【図１０】同上分別性プラスチックキャップを容器の口部に打栓した状態の半裁断面図である。
【図１１】同上分別性プラスチックキャップの両ラチェットの配置状態の断面図である。
【図１２】特許文献１に開示された従来例を示す側断面図である。
【図１３】特許文献２に開示された従来例のキャップ本体の上面図である。
【図１４】特許文献２に開示された従来例のキャップ本体の側面図である。
【図１５】特許文献２に開示された従来例を示す側断面図である。
【図１６】特許文献３に開示された従来例を示す側断面図である。
【図１７】特許文献３に開示された従来例のキャップの側面図である。
【符号の説明】
【００３９】
１                        易分別性プラスチックキャップ
２，３０                  天板
３                        容器
４，ａ                    口部
５                        打栓部分
６，ｃ                    注出筒
７，ｄ，ｄ１，ｄ２        キャップ本体
８，ｉ，ｉ１，ｉ２        上蓋
９                        タンパーエビデント機構
１０                      バンド
１１                      脆弱部
１２                      切欠用ツマミ
１３，ｊ                  ネジ周壁
１４                      外周壁
２０，３１                インナーリング
２１                      スカート部
２２                      開口
２３                      空洞部
２４                      補強リブ
２５                      注出孔スコアー
２６，ｎ                  プルリング
３２                      すべり止め
３３                      つなぎリブ
３４                      ストッパー
３５                      キャップ本体側ラチェット
３６                      バンド側ラチェット
３７                      落下スペース
３８                      ラック
３９                      回り止め
ｂ                        先端小径部
ｅ                        薄肉部
ｆ                        ツマミ
ｇ                        下筒
ｈ                        大径ネジ部
ｋ                        筒部
ｌ                        遮断壁
ｍ                        スコア
ｏ                        周方向スリット部
ｐ                        凸部
【図１】
2005067699.tif 000003
【図２】
2005067699.tif 000004
【図３】
2005067699.tif 000005
【図４】
2005067699.tif 000006
【図５】
2005067699.tif 000007
【図６】
2005067699.tif 000008
【図７】
2005067699.tif 000009
【図８】
2005067699.tif 000010
【図９】
2005067699.tif 000011
【図１０】
2005067699.tif 000012
【図１１】
2005067699.tif 000013
【図１２】
2005067699.tif 000014
【図１３】
2005067699.tif 000015
【図１４】
2005067699.tif 000016
【図１５】
2005067699.tif 000017
【図１６】
2005067699.tif 000018
【図１７】
2005067699.tif 000019